(57)【要約】【課題】  歩いたときに当該足の甲を覆う部分が上下左右に動き難くなること。【解決手段】  このキャリーブーツ１００は、円筒状の臑カバー１と、足の甲を覆う甲カバー２とからなる。臑カバー１の下部左右には、爪先方向に向かって複数のスナップボタン９が設けられる。甲カバー２の両側にスナップボタン８が設けられる。甲カバー２のスナップボタン８を臑カバー１のスナップボタン９に取り付けると、甲カバー２が臑カバー１に対して回動可能になる。ユーザが歩くとき、足の甲が曲がっても甲カバー２がスナップボタン８，９を軸に自在に回動するので、甲カバー２が邪魔にならない。【選択図】  図１
2013052086.tif 000002
【特許請求の範囲】
【請求項１】
臑の一部又は全部を覆う筒状の臑カバーと、足の甲を覆うシート状の甲カバーとを有し、
当該甲カバーには前記臑カバーに取り付けるための取付部が設けられ、
前記臑カバーには前記甲カバーの取付部を支持するための支持部が、前記臑カバーに対する前記甲カバーの取付位置及び取付角度に応じて、複数設けられていることを特徴とするキャリーブーツ。
【請求項２】
前記支持部が前記臑カバーの爪先方向に向かって下がるように斜めに複数配列されていることを特徴とする請求項に記載のキャリーブーツ。
【請求項３】
前記支持部が前記取付部を回転可能に支持することを特徴とする請求項１又は２に記載のキャリーブーツ。
【請求項４】
前記支持部が前記取付部を着脱可能に支持することを特徴とする請求項１〜３のいずれか一つに記載のキャリーブーツ。
【請求項５】
前記甲カバーに留めるバンドを更に有し、且つ、前記甲カバーには前記バンドを取り付けるバンド取付部が更に設けられ、
前記バンドを靴底面に巻き付けて前記バンド取付部に取り付けることを特徴とする請求項１〜４のいずれか一つに記載のキャリーブーツ。
【請求項６】
前記臑カバーには足の甲を覆わない位置に前記甲カバーを支持する補助支持部が更に設けられていることを特徴とする請求項４又は５に記載のキャリーブーツ。
【請求項７】
素材、色、柄、形状その他の種類の異なる複数の前記甲カバーを取り替え可能なことを特徴とする請求項４〜６のいずれか一つに記載のキャリーブーツ。
【請求項８】
前記臑カバー及び前記甲カバーの少なくとも一方にはアクセサリーを取り付けるアクセサリー用取付部を設けたことを特徴とする請求項１〜７のいずれか一つに記載のキャリーブーツ。
【発明の詳細な説明】
【技術分野】
【０００１】
本発明は、ハイヒール、パンプス、スニーカー等の靴に装着して使用する携帯可能なキャリーブーツに関するものである。
【背景技術】
【０００２】
従来から、特許文献１に記載のブーツに類似のブーツが知られている。このブーツは、足首を先に挿入させパンプス等に装着し、ファスナーで固定する構造である。パンプスから取り外した状態で持ち運びが可能であり、必要なときにパンプスに装着してブーツとして使用できる。
【先行技術文献】
【特許文献】
【０００３】
【特許文献１】特開２００８−２２０８８９号公報
【発明の概要】
【発明が解決しようとする課題】
【０００４】
しかしながら、上記従来のブーツでは、取付パーツが足の甲に被せるような形状になっているため、歩いたときに当該足の甲を覆う部分が上下に動き難く、邪魔になるという問題点があった。この発明は、係る問題点を解決するためになされたものである。
【課題を解決するための手段】
【０００５】
そこで、この発明のキャリーブーツは、臑の一部又は全部を覆う筒状の臑カバーと、足の甲を覆うシート状の甲カバーとを有し、当該甲カバーには前記臑カバーに取り付けるための取付部が設けられ、前記臑カバーには前記甲カバーの取付部を支持するための支持部が、前記臑カバーに対する前記甲カバーの取付位置及び取付角度に応じて、複数設けられていることを特徴とする。
【０００６】
前記取付部及び支持部は、例えばスナップボタンのオス型及びメス型により構成される。その他、フックと穴等の関係であっても良い。
【０００７】
また、この発明のキャリーブーツは、上記発明において、前記支持部が前記臑カバーの爪先方向に向かって下がるように斜めに複数配列されていることを特徴とする。
【０００８】
また、この発明のキャリーブーツは、上記発明において、前記支持部が前記取付部を回転可能に支持することを特徴とする。
【０００９】
また、この発明のキャリーブーツは、上記発明において、前記支持部が前記取付部を着脱可能に支持することを特徴とする。
【００１０】
また、この発明のキャリーブーツは、上記発明において、前記甲カバーに留めるバンドを更に有し、且つ、前記甲カバーには前記バンドを取り付けるバンド取付部が更に設けられ、前記バンドを靴底面に巻き付けて前記バンド取付部に取り付けることを特徴とする。
【００１１】
また、この発明のキャリーブーツは、上記発明において、前記臑カバーには足の甲を覆わない位置に前記甲カバーを支持する補助支持部が更に設けられていることを特徴とする。
【００１２】
また、この発明のキャリーブーツは、上記発明において、素材、色、柄、形状その他の種類の異なる複数の前記甲カバー２を取り替え可能なことを特徴とする。
【００１３】
また、この発明のキャリーブーツは、上記発明において、前記臑カバー１及び前記甲カバー２の少なくとも一方にはアクセサリーを取り付けるアクセサリー用取付部を設けたことを特徴とする。
【図面の簡単な説明】
【００１４】
【図１】この発明の実施の形態に係るキャリーブーツを示す斜視図である。
【図２】図１に示したキャリーブーツの一部拡大図である。
【図３】図１に示した甲カバーを示す平面図である。
【図４】甲カバーを取り外した状態を示す斜視図である。
【図５】甲カバーの別の例を示す説明図である。
【図６】甲カバーの別の取り付け形態を示す説明図である。
【図７】キャリーブーツの折り畳み状態とそれを収納するポーチを示す説明図である。
【図８】アクセサリーを装着した状態を示す説明図である。
【図９】別のアクセサリーを装着した状態を示す説明図である。
【図１０】ファスナーの位置が異なる場合の説明図である。
【発明を実施するための形態】
【００１５】
図１は、この発明の実施の形態に係るキャリーブーツを示す斜視図である。図２は、図１に示したキャリーブーツの一部拡大図である。図３は、図１に示した甲カバー２を示す平面図である。図４は、甲カバー２を取り外した状態を示す斜視図である。このキャリーブーツ１００は、臑の一部又は全部を覆う筒状の臑カバー１と、足の甲を覆うシート状の甲カバー２とを有し、当該甲カバー２には前記臑カバー１に取り付けるための取付部が設けられている。臑カバー１及び甲カバー２の素材は、本革、合成皮革、布、樹脂等でも良い。また、樹脂により構成する場合、全体を透明にしても良い。
【００１６】
臑カバー１は円筒状であり、一部が長手軸方向にファスナー３により開閉可能となる。同図では、ファスナー３が横側に位置するものを例示する。臑カバー１を装着する場合、ファスナー止めまで引き下ろし、足に装着する際に繋がっている部分に足を通してからファスナー３を締めるようにする。
【００１７】
また、臑カバー１は、図４に示すように、下部前方に突出部５が形成されている。これは、当該突出部５が足の甲にフィットして、臑カバー１が足の周りを回転してずれてしまうのを防止するためと、甲カバー２を外した状態でも突出部５によりブーツスタイルとして使用できるためである。但し、この突出部５は、歩く際に違和感がない程度の大きさとする。
【００１８】
甲カバー２は、図３に示すように、内側に小径の湾曲部６が形成され、外側に大径の湾曲部７が形成された略Ｕ字形状或いは三日月形状又はハート形状をしている。両端には、取付部であるスナップボタン８が設けられている。また、立体感を出すためにその表面には複数のプリーツ（又はタック）１０を設けることにより、より足の甲にフィットした形状となる。プリーツ（又はタック）１０の形態は、図３（ａ）に示すように縦型でも良いし、図３（ｂ）に示すように湾曲形状でも良い。
【００１９】
臑カバー１の下部で左右足のくるぶしより上に位置する部分には、支持部である複数（本実施の形態では３個）のスナップボタン９が設けられている。このスナップボタン９は、例えば図２に示すように、臑カバー１の長手軸方向から前よりに弧を描くように配置されている。換言すれば、前記スナップボタン９は、臑カバー１の爪先方向に向かって下がるように斜めに複数配列されている。図２に示すように、このスナップボタン９のいずれかに、前記甲カバー２のスナップボタン８を取り付ける。なお、スナップボタン９の個数については、３個に限定されず、４個以上でも良いし、２個でも良い（図示省略）。
【００２０】
スナップボタン８，９はその構造上取り付けた状態で相互に回転可能であるから、甲カバー２が臑カバー１に対して回動することになる。即ち、歩行時に足の甲と膝とが折れ曲がる（角度が変わる）際、甲カバー２が足の甲の動きに従って回動する。このため、自然に歩くことができる。更に、スナップボタン８，９は、取り付けと回転との両方の機能を備えているので、本発明の取付部及び支持部として好適である。なお、スナップボタン８，９は、いずれがオス型でもメス型でも良い。
【００２１】
甲カバー２は臑カバー１に対する取付状態で、小径の湾曲部６が臑カバー１の表面に当接し、外側の大径の湾曲部７がパンプス等の靴の上部に当接する。また、甲カバー２は、覆っている足部分に沿って全体的に平面に垂直方向に湾曲して臑カバー１に取り付けられるので、全体として立体感をもって足の甲を覆うようにカバーすることになる。
【００２２】
甲カバー２の取り付け位置によりカバーできる足の甲の範囲を変更できる。例えば、一番上のスナップボタン９に甲カバー２のスナップボタン８を取り付けると、甲カバー２の前方に出る範囲は少なくなる。一番下のスナップボタン９に甲カバー２のスナップボタン８を取り付けると、甲カバー２の前方に出る範囲は大きくなる。中間のスナップボタン９に甲カバー２のスナップボタン８を取り付けると、前方に出る範囲は普通になる。これにより靴のデザインやサイズに合わせて適用可能となる。
【００２３】
図５は、甲カバー２の別の例を示す説明図である。図５（ａ）に示すように、甲カバー２は外側縁（７）及び内側縁（６）が緩やかで、やや直線的な構成とし、全体的に矢印形状としても良い。また、図５（ｂ）に示すように、甲カバー２の先部分１１を延長して四角形状にしても良い。このように、甲カバー２は、両端にスナップボタン８が設けられ、内側縁（６）が凹形状になっていれば、どのような形状でも良い。
【００２４】
また、臑カバー１の左右上部には、補助支持部として別のスナップボタン１２が設けられている。図６に示すように、甲カバー２のスナップボタン８を臑カバー１のスナップボタン１２に取り付けることで当該甲カバー２を後ろ向き（足の甲を覆わない位置）に取り付けることになる。甲カバー２を使用していないときに図６のように取り付けることで、ファッション性も向上する。
【００２５】
次に、臑カバー１は、図７に示すように、折り畳んでポーチ１９等に収納できる。
【００２６】
また、アクセサリーを空いているスナップボタン９（甲カバー２のスナップボタンが取り付けられていないスナップボタン）に装着することもできる。図８に、アクセサリーを装着した状態を示す。このアクセサリー１３は、例えば、ウエスタンブーツをイメージした歯車１４をバンド１５に設け、当該バンド１５の両端部に取付部であるスナップボタン１６を取り付けた構成である。スナップボタン１６を臑カバー１の空いているスナップボタン９に取り付けることで、足の踵の上部に歯車１４を装着できる。なお、アクセサリー専用のスナップボタンを臑カバー１に設けても良い。また、アクセサリーは、歯車１４の他、球状のボンボリ、リボン、又は小さなぬいぐるみ等でも良い。
【００２７】
また、靴に対する取付バンド１７を空いているスナップボタン９に装着することもできる。図９（ａ）に取付バンドを装着した状態を示す。この取付バンド１７は、ハイヒール等の底側に空間ができる靴の下側を通して左右の空いているスナップボタン９に取り付けるものであり、バンド部の両端にスナップボタン１８を設けたものである。この取付バンド１７は、伸縮素材から構成しても良い。取付バンド１７を臑カバー１に取り付けることで、靴に対して臑カバー１を付勢できるので、キャリーブーツ１００を靴に対してしっかり固定できる。
【００２８】
なお、取付バンド１７のスナップボタン１８は、臑カバー１の前記支持部であるスナップボタン９に取り付けても良いし、取付バンド専用のスナップボタンを臑カバー１に設けておいても良い。また、図９（ｂ）に示すように、臑カバー１を丸め、図９（ｃ）に示すように、丸めた臑カバー１を当該取付バンド１７で止めることもできる。
【００２９】
以上のキャリーブーツ１００によれば、甲カバー２が臑カバー１の左右下部を支点して回動するので、足の甲を曲げるような動きをするときでも邪魔にならない。また、甲カバー２は、足の大きさによりその位置を変更できるので、どのようなサイズのユーザでも使用できる。
【００３０】
また、上記キャリーブーツ１００によれば、臑カバー１のファスナー３を下げて足を通すだけで簡単に装着できるので、前屈みの窮屈で無理な姿勢をしなくても履ける。また、キャリーブーツ１００は、短靴部分と分離しているので、通気性が良く、蒸れる心配がなく、且つ、気温等の周囲の状況に応じて手軽に着脱使用できる。また、通常の短靴部分と連結しているブーツよりコンパクトであることが利点なので、収納しやすく、携帯しやすい。このため、若い女性だけでなく美容師等の立ち仕事の人、お年寄りにも好適であり、寒冷時のバイクや自転車での使用も可能である。
【００３１】
なお、甲カバー２と臑カバー１との取付形態は、上記スナップボタン８，９に限定されない。例えば、甲カバー２に取付部としてフックを設け、臑カバー１に当該フックを支持する支持部を設けても良い（図示省略）。また、甲カバー２に取付部としての穴を設け、臑カバー１に穴に挿入する支持部としてのフックを設けても良い（図示省略）。更に、甲カバー２の両端部に穴を設け、臑カバー１の上記スナップボタンに相当する位置に穴を設け、穴同士を紐やリボン等で繋ぐようにしても良い（図示省略）。
【００３２】
また、図１０に示すように、上記ファスナー３は、臑カバー１の装着状態で後部側に位置するようにしても良い。
【符号の説明】
【００３３】
１００  キャリーブーツ
１  臑カバー
２  甲カバー
３  ファスナー
８，９  スナップボタン
【図１】
2013052086.tif 000003
【図２】
2013052086.tif 000004
【図３】
2013052086.tif 000005
【図４】
2013052086.tif 000006
【図５】
2013052086.tif 000007
【図６】
2013052086.tif 000008
【図７】
2013052086.tif 000009
【図８】
2013052086.tif 000010
【図９】
2013052086.tif 000011
【図１０】
2013052086.tif 000012